(57)【要約】      （修正有）【課題】光学有効領域の結像品質に悪影響を齎す光線を阻止することができることにより、結像品質の向上が図れる光学レンズを提供する。【解決手段】光学レンズはレンズ本体１０を有し、該レンズ本体１０は、レンズ本体１０の中心に位置すると共に、レンズ本体１０の延伸方向と直交する光軸１１と、該光軸に環設される光学有効領域１２と、該光学有効領域１２の外周縁に環設される外環部１３と、該光学有効領域１２と外環部１３との間に設けられる辺縁光跡１４と、該辺縁光跡１４に貼り付けられる艶消しインターフェイス１５とを具備する。【選択図】図１
0003211088.tif 000002
【実用新案登録請求の範囲】
【請求項１】
レンズ本体であって、
前記レンズ本体の中心に位置すると共に、該レンズ本体の延伸方向と直交する光軸と、
前記光軸に環設される光学有効領域と、
前記光学有効領域の外周縁に環設される外環部と、
前記光学有効領域と外環部との間に設けられる辺縁光跡と、
前記辺縁光跡に貼り付けられる艶消しインターフェイスとを具備するレンズ本体を有することを特徴とする光学レンズ。
【請求項２】
前記艶消しインターフェイスは、５％より小さい光線透過率を有する請求項１に記載の光学レンズ。
【請求項３】
前記艶消しインターフェイスは、環状テーパー面を呈する請求項１または請求項２に記載の光学レンズ。
【請求項４】
前記レンズ本体は、凸レンズまたは凹レンズである請求項１または請求項２に記載の光学レンズ。
【請求項５】
前記レンズ本体は、凸レンズまたは凹レンズである請求項３に記載の光学レンズ。
【請求項６】
前記レンズ本体は、ガラスまたはプラスチック材料からなるものである請求項１または請求項２に記載の光学レンズ。
【請求項７】
前記レンズ本体は、ガラスまたはプラスチック材料からなるものである請求項３に記載の光学レンズ。
【請求項８】
前記レンズ本体は、ガラスまたはプラスチック材料からなるものである請求項４に記載の光学レンズ。
【請求項９】
前記レンズ本体は、ガラスまたはプラスチック材料からなるものである請求項５に記載の光学レンズ。
【請求項１０】
前記艶消しインターフェイスは、レーザー彫刻加工してなるものである請求項１または請求項２に記載の光学レンズ。
【考案の詳細な説明】
【技術分野】
【０００１】
本考案は、光学レンズに関するものであり、特にレンズの内部に位置する艶消しインターフェイスを具備する光学レンズに関するものである。
【背景技術】
【０００２】
図４に示すように、従来の光学レンズ９０は、光軸９１、光学有効部９２、および外環部９３を具備する。前記光軸９１は、前記光学レンズ９０の中心に位置する。前記光学有効部９２は、該光学レンズ９０における結像に寄与する領域である。前記外環部９３は、前記光学有効部９２の外周縁に位置する、該光学レンズ９０を装置に固設するためのものであり、例えば、他のレンズと重ねること、またはカメラ用レンズ部材のフレームに位置決めすることに供する。
【０００３】
前記光学有効部９２と外環部９３との間に辺縁光跡９４が形成される。該辺縁光跡９４は、該光学レンズ９０の接物端Ａの光学有効部の境界ａと結像端Ｂの光学有効部の境界ｂとを結ぶ線からなるものである。該辺縁光跡９４は肉眼では明確に識別できないインターフェイスである。該辺縁光跡９４における前記光学有効部９２に面する側に照射される外部光線が主に結像に供するものであり、該辺縁光跡９４における前記外環部９３に面する側に照射される外部光線が主に結像に寄与することができない上、前記光学レンズ９０の結像明瞭度に悪影響を齎す雑光である。よって、前記辺縁光跡９４は、即ち外部光線が結像に寄与するか否かの臨界境界線である。
【考案の概要】
【考案が解決しようとする課題】
【０００４】
しかしながら、図３に示すように、前記辺縁光跡９４は、実質的に透明なインターフェイスである。外部光線が前記外環部９３に入ると、該外部光線が該外環部９３の内部に往復反射されてから、前記辺縁光跡９４を通過し、前記光学有効部９２に進入するので、該光学有効部９２の内部の散乱光になり、該光学レンズ９０の外部から直接に該光学有効部９２に入射して結像に寄与する光線を干渉してしまい、該光学レンズ９０の結像に悪影響を齎す。
【０００５】
そこで、従来の技術の欠点および不足を改善するために、案出されたのが本考案であって、光学レンズの外環部の雑光が辺縁光跡を通過し、光学有効部への進入を有効に避け、光学有効部における結像に供する光線に対する干渉、および該光学レンズの結像に対する悪影響を防ぐ光学レンズを提供することを目的としている。
【課題を解決するための手段】
【０００６】
本願の請求項１の考案は、レンズ本体であって、
前記レンズ本体の中心に位置すると共に、該レンズ本体の延伸方向と直交する光軸と、
前記光軸に環設される光学有効領域と、
前記光学有効領域の外周縁に環設される外環部と、
前記光学有効領域と外環部との間に設けられる辺縁光跡と、
前記辺縁光跡に貼り付けられる艶消しインターフェイスとを具備するレンズ本体を有することを特徴とする光学レンズ、を提供する。
前記辺縁光跡は、該光学レンズの光学有効領域の接物端の境界と結像端の光学有効領域の境界とを結ぶ線からなるものである。前記艶消しインターフェイスは、レーザー彫刻加工してなるものであっても良い。
【０００７】
本願の請求項２の考案は、前記艶消しインターフェイスは、５％より小さい光線透過率を有する請求項１に記載の光学レンズ、を提供する。この光線透過率が低い艶消しインターフェイスを用いた技術手段によれば、前記外環部から前記光学有効領域へ照射する光線が吸収され、前記外環部から前記光学有効領域へ照射する光線が該艶消しインターフェイスおよび該辺縁光跡を通過することを最大限に防止し、光学有効領域の内部の光線に対する干渉を防ぎ、本考案に係る光学レンズの結像品質を向上させることができる。
【０００８】
本願の請求項３の考案は、前記艶消しインターフェイスは、環状テーパー面を呈する請求項１または請求項２に記載の光学レンズ、を提供する。前記艶消しインターフェイスの延伸方向と前記光軸の延伸方向とは鋭角を成す。
【０００９】
本願の請求項４および請求項５の考案は、前記レンズ本体は、凸レンズまたは凹レンズであることを特徴とする光学レンズ、を提供する。本考案に係る光学レンズの艶消しインターフェイスの設置は、特定されたレンズの種類に限られたものではない。上述した通り、光学有効領域および外環部が設けられる凸レンズまたは凹レンズには、前記辺縁光跡が存在しているので、該辺縁光跡にそって前記艶消しインターフェイスを設置すれば、本考案に係る光学レンズにおける光学有効領域の結像品質に対する外環部の光線が齎した悪影響を防止することができる。
【００１０】
本願の請求項６ないし請求項９の考案は、前記レンズ本体は、ガラスまたはプラスチック材料からなるものであることを特徴とする光学レンズ、を提供する。光学レンズのレンズ本体はガラスまたはプラスチック材料からなるものであってもよく、本考案に係る光学レンズにおける前記艶消しインターフェイスの設置は、ガラスまたはプラスチック材料からなるレンズ本体を有する光学レンズに適用することができる。
【考案の効果】
【００１１】
本考案は上記の課題を解決するものであり、前記光学有効領域と前記外環部との間の辺縁光跡に艶消しインターフェイスを貼り付けることにより、前記レンズ本体の外部から該外環部へ入射する光線が該外環部の内部に複数回反射されても該辺縁光跡を通過することができないので、該光学有効領域へ入ることができないことから、該光学有効領域の内部の光線への干渉、および光学レンズの結像品質への悪影響を防ぐことができる。
【図面の簡単な説明】
【００１２】
【図１】本考案に係る光学レンズの斜視図である。
【図２】本考案に係る光学レンズが凸レンズである場合、外環部の雑光が艶消しインターフェイスに吸収された光路を示す斜視図である。
【図３】本考案に係る光学レンズが凹レンズである場合、外環部の雑光が艶消しインターフェイスに吸収された光路を示す斜視図である。
【図４】従来の光学レンズにおける外環部の雑光が光学有効領域に進入する光路を示す斜視図である。
【考案を実施するための形態】
【００１３】
以下、添付図面を参照して本考案の好適な実施の形態を詳細に説明する。
【００１４】
図１及び図２に示すように、本考案に係る光学レンズは、レンズ本体１０を有し、該レンズ本体１０は、光軸１１と、光学有効領域１２と、外環部１３と、辺縁光跡１４と、艶消しインターフェイス１５とを有するものである。
【００１５】
前記光軸１１は、前記レンズ本体１０の中心に位置すると共に、該レンズ本体１０の延伸方向と直交する。
【００１６】
前記光学有効領域１２は、前記光軸１１の外周縁に環設されると共に、前記光軸１１と一体化したものである。
【００１７】
前記外環部１３は、前記光学有効領域１２の外周縁に環設されると共に、前記光学有効領域１２と一体化したものである。
【００１８】
前記辺縁光跡１４は、前記光学有効領域１２と外環部１３との間に設けられる。前記辺縁光跡１４は、該光学レンズの接物端Ａの光学有効領域Ａの境界ａと結像端Ｂの光学有効領域Ｂの境界ｂとを結ぶ線からなるものである。また、前記艶消しインターフェイス１５は、前記辺縁光跡１４における前記外環部１３に面する側にレーザー彫刻加工してなり、光線透過率が５％より小さいものであるので、該外環部１３から前記艶消しインターフェイス１５に照射される雑光は、前記艶消しインターフェイス１５および辺縁光跡１４を通過することができないことから、前記光学有効領域１２に入ることはない。よって、該光学有効領域１２の内部にゴーストや散乱光の発生を防止し、結像品質を向上させることが図れる。
【００１９】
図２に示すように、本考案に係る光学レンズが凸レンズである場合、該艶消しインターフェイス１５における該レンズの接物端Ａに面する延伸方向と、該光軸１１の延伸方向とは、鋭角αを成すので、該艶消しインターフェイス１５は環状テーパー面を呈する。
【００２０】
図３に示すように、本考案に係る光学レンズが凹レンズである場合、該艶消しインターフェイス１５における該レンズの結像端Ｂに面する延伸方向と、該光軸１１の延伸方向とは、鋭角θを成すので、該艶消しインターフェイス１５は同様に環状テーパー面を呈する。
【００２１】
本考案に係る光学レンズは、ガラスまたはプラスチック材料からなるものであっても良い。また、該光学レンズは、図１及び図２に示す凸レンズのみならず、図３に示す凹レンズであっても良い。
【産業上の利用可能性】
【００２２】
本考案に係る光学レンズは、上述した通り、前記光学有効領域１２と前記外環部１３との間に位置する辺縁光跡１４に艶消しインターフェイス１５が設置される構成を有するので、該外環部１３に照射された光線が反射され、または散乱されることにより、該光学有効領域１２に入って、該光学有効領域１２の結像品質に悪影響を齎す雑光になることが防止される。これにより、該光学レンズの結像明瞭度を向上させることができ、結像品質に優れた光学レンズを提供することができる。
【符号の説明】
【００２３】
１０    レンズ本体
１１    光軸
１２    光学有効領域
１３    外環部
１４    辺縁光跡
１５    艶消しインターフェイス
９０    光学レンズ
９１    光軸
９２    光学有効部
９３    外環部
９４    辺縁光跡
α    鋭角
θ    鋭角
Ａ    接物端
ａ    光学有効領域の境界
Ｂ    結像端
ｂ    光学有効領域の境界
【図１】
0003211088.tif 000003
【図２】
0003211088.tif 000004
【図３】
0003211088.tif 000005
【図４】
0003211088.tif 000006